(57)【要約】      （修正有）【課題】動力発生にともなう公害物質の発生は深刻な環境破壊を起こしています。これらの問題を解消するためには公害物質の発生しない動力の発生方法を提供する。【解決手段】本動力発生方法は、異なった二つの面積の比率とその物体が水中内にあるとき、与えられた水深比率を利用したものと、物体の一部の比重を水と同じにすることにより得られる作用を用いた動力発生方法である。したがって、公害物質の発生はない、環境に優しい動力発生方法である。【選択図】図１
2005127295.tif 000002
【特許請求の範囲】
【請求項１】
図１を用いる。水面ｒを有した水槽２の底部に，図Ａに示した移動物体１を動設されたものである。水深ｕにおいて面積ａにかかる水圧ｔと面積ｂにかかる水圧ｓの数値は同じ値を示している。（１ｃに示す数式）つまり、移動物体１は水中内で水圧的には停止している状態を示している。（以後この移動物体の位置を基準位置ｎとする）次に、この状態を面積比率及び水深比率からの相違を比べてみますと、まず、面積ａとｂの比率と水深ｕとｙの比率が同じ値を示している。（２Ｃに示す数式）即ち、これらの比率を与えれば、移動物体１の形状的数値が異なっても、図１に示す作用は成り立つことを示している。また、移動物体の位置変化に伴うこれらの作用は、基準位置ｎより上の位置では、移動物体にかかる水圧による力は上向きの力として働き、基凖位置ｎより下の位置では、移動物体がうける水圧による力は下向きの方向に働くのである。図面右に示す数値は移動物体１が水深の変化に伴う水圧からの力の変化の量とその数式を表している。
次に、図２を用いる。同じ形状の移動物体Ａ、Ｂを基準位置ｎに対して、距離ｍ、ｋ分、移動させた位置を示している。移動物体Ａの位置においては、面積ｂがうける水圧ｓに対して面積ａがうける水圧ｔの方が１２．５６大きくなり、したがって、移動物体Ａは全体として１２．５６の水圧による下向きの力をうけている。また、移動物体Ｂにおいては、同じょうに計算すると、全体として１２．５６の水圧による上向きの力をうけている。つまり、図ｚが示すように移動物体Ａ、Ｂはｊを基点に同じ値の力で引き合っているなどの作用を示してし丶る。（図面に数値を与えているが説明において分かりやすくするためである、また水槽底部からの水漏れは無いものとする）などの形状的面積数値がうける水圧作用。
【請求項２】
図３に示しているものは、発明作用を説明するための実験装置である。図Ｃに示す移動物体５、６の位置は基準位置ｎに対して距離ｈ分ずれている、この位置での移動物体５、６は全体として１８．８４の水圧による上向きの力をうけている。次に図Ｄに移る。移動物体頭部５に連動されたシャフト１１を押し上げることで移動物体頭部５が６から離れ、同時に移動物体６に下向きの水圧ｅが発生する。これらの作用により、水圧による上向きの力をうけていた移動物体は、水圧ｅの発生と同時に下向きの力をうけることになり、したがって、移動物体全体として下方向に移動を開始する。（移動物体５の比重は水と同じである、つまり、水中においては重量的に浮遊している状態である）さらに、移動は進み図４のＥの位置で停止する。そして、移動物体頭部５に連動したシャフト１１を外部からの力を用いて引くことで、図Ｆに示す位置状態を形成する。この移動物体の位置は基準位置ｎに対してｈの位置にあり、したがって、移動物体５、６は水圧による上向きの力をうけることになり、上部に移動を開始する。さらに移動は進み図３のＣに示す位置で停止することで、始まりの位置に戻り、一連の動力発生作用が終了するのである。
次に、上記に示した一連の作用において、移動物体の移動に伴い水位変化が生じます。例えば図３のＣに示す位置から図４のＦに示す位置までの移動物体の移動では、体積ｇに示す量分水位が下がる変化を起こします。したがって、上記に示した水圧の数値はこの水位変化による変化量は計算されていません。この距離的水位の変化の値は、体積ｇを水面面積ｄで割ったものが距離的水位変化の値として与えられます。つまり、移動に伴う体積ｇは一定であるとき、水面面積を大きくすることで水位変化の値を小さくする作用を利用しているのである。
次に、図６に表している装置は上記に示した構造的作用を用いた方法で、移動物体Ａ、Ｂと動設され、複数用いた方法である。移動及び水圧作用は上記の方法と同じであり、移動物体Ａが上視点の位置にあるとき移動物体Ｂは下視点になる。したがって、対照的な動きと水圧作用をする方法である。またこの方法では移動物体の移動に伴う水位変化は生じないなどの特徴をもっている。などの形状的面積数値がうける水圧作用を利用した動力発生方法。
【請求項３】
図５に示しているのは、移動物体５、６の拡大図である。図Ｇのバルブ１３を開放の位置にすることで内部１７と外部の水圧差がなくなる。さらに、移動物体頭部に連動したシャフト１１を外部からの力を用いて押し上げることで頭部５が移動物体６から離れ，同時に水圧ｅが発生する。次に、離れていた頭部５を移動物体６に接続する場合においては、図Ｈの移動物体頭部５に連動するシャフト１１を外部からの力を用いて引くことで、頭部が移動し、移動物体６に結合する、同時に水圧ｅが無くなり、水圧ｔとｓが発生する。さらに、頭部５が６に接触した時、シャフト１１をもう一度強く引いてからバルブ１３を閉じるのである。この作業は内部１７と外部を水圧的に遮断するための作業である。
【発明の詳細な説明】
【発明の詳細な説明】
［産業上の利用分野］
【０００１】  水圧を利用した動力の発生方法であります。したがって、公害物質の発生しない、かつ、ゆっくりとした性質の動力であり、発電産業が適していると考えます。
［従来の技術］
【０００２】  現在、多くの電力を発生させる方法としては、火力発電、原子力発電、水力発電、などを用いています。しかし、いずれの方法でも公害物質の発生や環境破壊を起こして、社会問題となっております。
［発明が解決しょうとする課題］
【０００３】  大気汚染の最大の課題は、二酸化炭素や炭化水素さらには窒素酸化物の発生があります。したがって、これからは、これらの物質を発生させない、又は、発生を減少する技術開発が求められています。
［課題を解決するための手段］
【０００４】  本動力発生の原理は、異なった面積の比率とその数値から与えられた、水中における水深比率が比例関係にあり、この条件が充たされた状態で発生する水圧による作用であり、幾何学的要素ももっている。
したがって、動力発生の源は液体の性質とそれにかかる重力を利用したものであり、公害物質の発生はない。つまり、環境に優しい動力発生方法である。
［発明の作用と形態］
【０００５】  図１に示しているのは本動力発生方法の原理作用である。
まず、水面ｒを設けた水槽２の底部に、図Ａに示す形状の移動物体１を動設した構造の実験装置である。移動物体１の位置が水深ｕの状態では、面積ａにかかる水圧ｔの示す値と面積ｂにかかる水圧ｓの値が同じ数値を示している。つまり、移動物体１は水中内で水圧的に停止している状態を示している。（図面に数値が与えられていますが、説明において分かりやすくするためである）さらに（移動物体１の水深ｎを以後基準位置ｎとする）。図１に示すこれらの作用は面積ａとｂの比率と水深ｕとｙの比率の数値が同じ値を示している。（２ｃ数式）このことは移動物体１の形状的数値が異なっていても、それらの比率的条件が成立すれば、図１の作用が成り立つことを示している。
次に、図２に移る。移動物体Ａは基準位置ｎに対して距離ｋ分ずれた位置にある、この状態では面積ｂにかかる水圧ｓに対して面積ａにかかる水圧ｔの方が１２．５６大きくなり、したがって、移動物体全体として下向きの水圧による力１２．５６が働いていることを示している。
さらに、移動物体Ｂにおいては水圧ｔに対して水圧ｓの方が１２．５６大きくなり、したがって、移動物体Ｂは全体として上向きの水圧による力１２．５６が働いていることを示している。この移動物体Ａ、Ｂの作用は図ｚが示すようにｊを基点に１２．５６の力で引き合っていることも示しているのである。以上図１、２に示した作用が本動力発生方法の基本原理である。
次に、それらの基本原理を利用して動力の発生を生み出す方法の説明に移る。図３の移動物体５、６の位置は基準位置ｎに対して距離ｈ分上部にある。この移動物体５、６の位置では移動物体全体的に１８．８４の上向きの水圧による力をうけている。そして、移動物体頭部５に連動するシャフト１１を外部からの力を用いて押し込むことにより図Ｄに示す状態に至る。移動物体６に連結してしいた頭部５が離れることにより水圧ｅが下向きの力として働き、移動物体５、６は下方向に移動を起こす。（このとき移動物体頭部５の比重は水と同じになっている。したがって、頭部は水中内を重量的に浮遊している状態である）。移動はさらに進み図４のＥの位置で停止する。さらに、頭部５に連動するシャフト１１を外部からの力を用いて引くことにより、頭部が移動し、図Ｆに示す状態になる。
この移動作用の時、水圧ｅが無くなり、同時に水圧ｔとｓが発生する。このことは下向きの力をうけていた移動物体が、頭部５と６が合体すると同時に上向きの力をうけることを示している。（移動前の移動物体６がうけていた水圧ｅの値は３４．５４の下向きの力であり、合体後では移動物体全体として３．１４の上向きの力をうける）そして、移動物体は上方向に移動を開始する。移動はさらに進み、始まりの位置である図３のＣの位置で停止することで一連の移動作用が終了するのである。また、移動物体の下視点の位置は基準位置ｎに対して上部に位置しているが、基準位置ｎでも良いのである。即ち、この場合には次の動きに対応できず外部から何らかの力を与えなければならないのである。
上記に示した図３、４の作用では、移動物体の移動に伴い水位変化が生じます。例えば図３のＣに示す移動物体の位置から図４のＦに移動した変化においては体積ｇの量分水位変化を起こす。つまり、体積ｇを水面面積ｄで割ったものから距離的変化が与えられ、したがって、移動物体の移動に伴う変化の体積ｇは一定において水面面積を大きくすることで距離的水位変化は小さくなると言うべく物理的作用を利用しているのである。これらの作用は私たち人間がお風呂に入ったときの水位変化とプールに入ったときの水位変化と同じ作用である。では一連の動力発生作用にどのような影響があるのかは、水面面積を大きくすれば、わずかの影響しかありません。したがって、上記に示した水圧などの数値には示していません。
図３、４の移動物体の移動作用が本方法の動力発生である。即ち、図３の４ｃと図４の３ｃに示す距離の移動である。
この実験装置の重り８は移動物体６と同じ重量であり、シーソーシャフト７を用いてバランス的作用をするのである。
次に、図６に表された装置は、移動物体を複数用いた方法である。移動及び水圧作用は上記に示した方法と同じである。移動物体Ａが下視点の位置番にあるとき移動物体Ｂは上視点の位置にあり、したがって、動きと作用は対照的になるのである。またこの方法では移動物体移動に伴う水位変化は生じない、などの特徴をもっている。（面積にかかる水圧計算において大気圧及び加速度は除いている）
［実施例］
【０００６】  図３のＣのシャフト１１を外部からの力を用いて押し込むことで図Ｄに示す状態になり、同時に水圧ｅの発生で移動物体５、６は移動を開始する。さらに移動は進み図４のＥの位置で停止する。さらに、外部からの力を用いてシャフト１１を引くことで図Ｆの状態に至る。同時に水圧ｔとｓの発生により移動物体は全体として上向きの力をうけことになり、上の方向に移動を開始する。移動はさらに進み、始まりの位置である図３のＣに示す位置で停止することで一連の移動作用が終了するのである。
図５に示しているものは移動物体の拡大図である。図Ｇでは、まず、バルブ１３を１４を用いて開放の位置にして、外部からの力を用いてシャフト１１を押し込むことで、移動物体６から頭部５が離れる、同時に水圧ｅが発生し物体は下向きの力をうけることになる。
次に、離れていた移動物体５と６が合体するときは、図Ｈのシャフト１１を外部からの力を用いて引くことで移動物体５と６は合体する。このときもう一度シャフト１１を強く引いてからバルブ１３を閉じる。この作業は内側１７と外部を水圧的に遮断する意味をもっている。また、移動物体５と６が離れた状態が図３、４と異なっているが、どちらの方法でも良い、つまり、離れているときでは水圧ｅが発生し、合体したときには水圧ｔ、ｓが発生すれば良いのである。
［発明の効果］
【０００７】  本動力発生の方法は、従来の物質的質量や物理量を利用した方法と大きく異なっています。火力発電では石炭、石油、天然ガスなどの物理量を動力のエネルギー源にしていますし、原子力発電では原子核を構成する強い力を利用している。この方法も原子の質量を利用しています。
これらの方法に対して本方法は、液体内の異なった形状的面積数値の比率と液体のもつ水深的数値比率との関係、さらに、液体の密度と大気圧と重力を利用した方法と言えます。したがって、酸化作用やその他の科学反応はありません。つまり、公害物質の発生はなく、環境にやさしい動力発生方法である。
【図面の簡単な説明】
【図１】          本方法の原理を表した断面図
【図２】          本方法の原理を表した断面図
【図３】          動力発生のメカニズムを示す断面図
【図４】          動力発生のメカニズムを示す断面図
【図５】          移動物体の拡大図
【図６】          移動物体を複数用いた方法の断面図
【符号の説明】
１      …      移動物体          ２      …      水槽
３      …      水                ４      …      支柱
５      …      移動物体頭部      ６      …      移動物体
７      …      シーソーシャフト  ８      …      重り
９      …      ストッパー台      １０    …      ストッパー
１１    …      シャフト          １２    …      水圧遮断ゴ厶又は樹脂
１３    …      バルブ            １４    …      バルブ開閉装置
１５    …      水圧遮断ゴム      １６    …      バイバス管
１７    …      内部
ａ、ｂ  …      面積              ｅ、ｔ、ｓ…    水圧
ｃ、ｉ  …      面積              ｎ      …      基準位置
ｈ、ｕ  …      距離              ｋ、ｍ  …      距離
ｙ、ｘ  …      距離              ｒ      …      水面
ｊ      …      基点              ｚ      …      作用
ｇ      …      体積              ｄ      …      水面面積
Ａ、Ｂ  …      移動物体          Ｃ、Ｄ  …      図面符号
Ｅ、Ｆ  …      図面符号          Ｇ、Ｈ  …      図面符号
Ｊ、Ｋ、Ｌ、Ｍ…位置              ３ｃ、４ｃ  …  動力発生距離
【図１】
2005127295.tif 000003
【図２】
2005127295.tif 000004
【図３】
2005127295.tif 000005
【図４】
2005127295.tif 000006
【図５】
2005127295.tif 000007
【図６】
2005127295.tif 000008